(57)【特許請求の範囲】
【請求項１】
可搬体の支柱に着脱可能に装着する装着体と、この装着体に着脱可能に取り付ける載置体とを備え、
前記装着体は、キャリーバッグのハンドル用の一対の支柱に装着される一対の筒部材であり、
前記載置体は、前記一対の筒部材に着脱可能に装着される一対のアームと、この一対のアームに取り付けられた載置板とを有し、この載置板の上に物を載せるようにしたことを特徴とする携帯用載置台。
【請求項２】
前記一対の筒部材は上下動可能に装着されることを特徴とする請求項１に記載の携帯用載置台。
【請求項３】
前記一対のアームは、アームの長手方向と直交する方向に突出した係止片を有し、
この係止片を前記筒部材と支柱との間に挿入することによって前記一対のアームを装着することを特徴とする請求項１または請求項２に記載の携帯用載置台。
【請求項４】
前記載置板の一端に補助載置板が着脱可能に取り付けられることを特徴とする請求項１ないし請求項３のいずれか１つに記載の携帯用載置台。
【請求項５】
前記載置板の下面に折り畳み式の脚部を設けたことを特徴とする請求項４に記載の携帯用載置台。
【請求項６】
請求項１ないし請求項５のいずれか１つに記載の携帯用載置台を備えたことを特徴とするキャリーバック。
【発明の詳細な説明】
【技術分野】
【０００１】
この発明は、組立式の分解可能な携帯用載置台とキャリーバッグとに関する。
【背景技術】
【０００２】
従来から、バーベキュー用の折畳式の携帯テーブルが知られている（特許文献１参照）。
【０００３】
かかる携帯テーブルは、離間可能にスライド移動可能に設けられた２枚の卓板と、この卓板のそれぞれの下面に設けた折り畳み式の展開可能な脚部とを備え、２枚の卓板を離間させるとともに脚部を展開させて卓板を脚部で保持させ、２枚の卓板間にコンロを載せられるようにしたものである。
【０００４】
運搬の際には、離間した卓板をスライド移動させて互いに接近させるとともに脚部を折り畳み、２枚の卓板の下面がお互いに対向するように折り畳むものである。
【先行技術文献】
【特許文献】
【０００５】
【特許文献１】特開２００３−１９９６２９号公報
【発明の概要】
【発明が解決しようとする課題】
【０００６】
しかしながら、このような携帯テーブルにあっては、携帯用とはいえど大きく持ち運びに不便であり、しかも２枚の卓板に折り畳み式の展開可能な脚部をそれぞれ設けてあるため、重量が大きくなってしまうという問題があった。
【０００７】
この発明の目的は、軽量化を図ることのできる携帯用載置台と、この携帯用載置台を用いたキャリーバッグを提供することにある。
【課題を解決するための手段】
【０００８】
請求項１の発明は、可搬体の支柱に着脱可能に装着する装着体と、この装着体に着脱可能に取り付ける載置体とを備え、
前記装着体は、キャリーバッグのハンドル用の一対の支柱に装着される一対の筒部材であり、
前記載置体は、前記一対の筒部材に着脱可能に装着される一対のアームと、この一対のアームに取り付けられた載置板とを有し、この載置板の上に物を載せるようにしたことを特徴とする。
【発明の効果】
【０００９】
この発明によれば、軽量化を図ることができる携帯用載置台とキャリーバックを提供することができる。
【図面の簡単な説明】
【００１０】
【図１】この発明に係る携帯用載置台を示した斜視図である。
【図２】図１に示す携帯用載置台を適用するキャリーバッグを示した斜視図である。
【図３】携帯用載置台を取り付けたキャリーバッグを示した斜視図である。
【図４】携帯用載置台の使用状態を示した斜視図である。
【図５】載置板の回動方向を示す説明図である。
【図６】載置板のスライド移動方向と回動方向を示す説明図である。
【図７】載置板の使用状態を示した説明図である。
【図８】載置板をハンドルを越えて回動移動させる状態を示した説明図である。
【図９】（Ａ）は連結板に取り付けられた筒部材を示した正面図、（Ｂ）はその平面図、（Ｃ）はその側面図である。
【図１０】図９（Ａ）の連結板と筒部材を示した斜視図である。
【図１１】載置体を示した斜視図である。
【図１２】（Ａ）は図１１の平面図、（Ｂ）はその側面図である。
【図１３】載置体を連結板の筒部材に装着した状態を示した斜視図である。
【図１４】第２実施例の載置板を示した斜視図である。
【図１５】主載置板に補助載置板を着脱可能に装着されることを示す説明図である。
【図１６】補助載置板の装着の仕方を示す説明図である。
【図１７】主載置板に補助載置板を装着した状態を示した説明図である。
【図１８】主載置板の下面に取り付けた脚部を示した説明図である。
【図１８Ａ】第２実施例の他の例の別な例を示す説明図である。
【図１９】第３実施例の携帯用載置台を示す斜視図である。
【図２０】アームの取り付け方を示す説明図である。
【図２１】載置板のアームへの固定の仕方を示した説明図である。
【図２２】第３実施例の他の例のアームの取り付け方を示した説明図である。
【図２３】第３実施例の他の例の一方のアームに載置板を取り付ける状態を示した説明図である。
【図２４】第３実施例の他の例の他方のアームに載置板を取り付ける状態を示した説明図である。
【図２５】第４実施例の筒部材と支柱を示した斜視図である。
【図２６】第４実施例の装着金具を示した斜視図である。
【図２７】図２６の装着金具の支柱への取付方を示した斜視図である。
【図２７（Ａ）】他の例の装着部材を示した斜視図である。
【図２７（Ｂ）】図２７（Ａ）に示す装着部材の平面図である。
【図２７（Ｃ）】載置板の正面図である。
【図２７（Ｄ）】載置板の平面図である。
【発明を実施するための形態】
【００１１】
以下、この発明に係る携帯用載置台とキャリーバッグの実施の形態である実施例を図面に基づいて説明する。
［第１実施例］
［携帯用載置台］
図１に示す携帯用載置台１０は、後述する可搬体であるキャリーバッグ６の一対の支柱７０,７０（図２参照）に着脱可能に装着される一対の装着体である装着金具３,３と、この装着金具３,３に着脱可能に装着される載置体１とを備えている。
［キャリーバッグ］
キャリーバッグ６は、図２に示すように、バッグ本体６０と、このバッグ本体６０の背面側に設けられた伸縮可能な一対の支柱７０,７０とを有し、支柱７０,７０の上部にはハンドル７が図示しないネジにより固定されている。また、バッグ本体６０の底部には２つまたは４つのキャスター６１（図２において２つのみ図示）が取り付けられている。
［装着金具］
装着金具３は、図９及び図１０に示すように、支柱７０（図２参照）に上下動可能に装着される断面４角形の筒部材３Ａと、筒部材３Ａに固定されたオフセット杆５０とを有している。オフセット杆５０は筒部材３Ａの軸線方向と直交する方向であるキャリーバッグ６の背面側の方向へ延びており、オフセット杆５０には長孔５３が形成されている。
【００１２】
装着金具３と装着金具３は長尺状の連結板５４により連結され、連結板５４の両端部が筒部材３Ａ,３Ａより外方へ突出しており、その両端部に例えばゴム製のバンパー５５が図１に示すように装着されている。
【００１３】
筒部材３Ａの後壁部３ａには、雌ネジを形成したネジ孔３ｂ(図示せず)が形成され、このネジ孔３ｂに蝶ネジ４２が螺合されている。蝶ネジ４２の軸部４２Ａの先端部には筒部材３Ａ内に配置された当接板４１が固定され、蝶ネジ４２の回動操作により当接板４１が蝶ネジ４２とともに図６において左右に移動するようになっている。当接板４１の左方向の移動によって、当接板４１と筒部材３Ａの前壁部３ｃとの間に支柱７０を挟み込んで筒部材３Ａを支柱７０に固定するものである。蝶ネジ４２を緩めると、当接板４１が右方向に移動することにより筒部材３Ａが支柱７０に沿って上下動可能となる。
［載置体］
載置体１は、図１１及び図１２に示すように、物を載せる長方形の載置板２と、この載置板２の一端から突出した一対のアーム２０,２０と、このアーム２０,２０の先端部に固定された断面Ｌ字形のブラケット３０とを有している。アーム２０には長手方向に沿って長孔２３が形成されている。なお、載置板２は長方形であるがどのような形状であってもよい。
【００１４】
ブラケット３０は、アーム２０に固定されたベース板３１と、このベース板３１の一側部から起立された起立片３２とを有している。ベース板３１にはアーム２０の長手方向に沿って長孔３１Ａ（図４参照）が形成され、起立片３２にアーム２０の長手方向に沿って長孔３２Ａが形成されている。
【００１５】
アーム２０の長孔２３と、ブラケット３０のベース板３１の長孔３１Ａにはネジ２４,２４が貫挿され、このネジ２４,２４によってブラケット３０のベース板３１がアーム２０に固定されている。このネジ２４の蝶ナット２５を緩めることによってアーム２０の長手方向に対するブラケット３０の取り付け位置を調整することができる。
【００１６】
ブラケット３０の起立片３２の長孔３２Ａと、筒部材３Ａのオフセット杆５０の長孔５３とにはネジ５２が貫挿されて、図１及び図１３に示すように、載置体１がオフセット杆５０に取り付けられている。
【００１７】
載置体１は、ネジ５２に螺合している蝶ナット５６を緩めることにより、図６に示すようにネジ５２を中心にして上下方向に回動可能となるとともに、ブラケット３０の起立片３２の長孔３２Ａに沿ってスライド移動可能（図６において上下方向の移動）となる。また、載置体１はオフセット杆５０の長孔５３に沿って移動可能となる。
【００１８】
すなわち、載置体１は、オフセット杆５０の長孔５３の長さと、ブラケット３０の起立片３２の長孔３２Ａの長さとを足した長さとほぼ同じ長さだけオフセット杆５０の長手方向に沿ってスライド移動可能となる。
［携帯用載置台の組み付け］
次に、上記のように構成される携帯用載置台１０の組み付けについて説明する。
【００１９】
先ず、図２に示す支柱７０,７０に取り付けられているハンドル７を図示しないネジを外すことにより取り外す。
【００２０】
次に、図１及び図１３に示すように、載置体１を取り付けたオフセット杆５０,５０の筒部材３Ａ,３Ａの蝶ネジ４２,４２を緩めておき、この筒部材３Ａ,３Ａの中に図３に示すように支柱７０,７０を通し、この後、支柱７０,７０の上部にハンドル７をネジにより取り付ける。
【００２１】
携帯用載置台１０を使用する場合には、図４及び図５に示すように、筒部材３Ａ,３Ａを支柱７０,７０の上部に移動させ、ネジ５２,５２の蝶ナット５６,５６を緩めてオフセット杆５０,５０に対して載置板２とともにアーム２０を図４において右方向へスライド移動させる。そして、載置板２を図６に示すネジ５２を中心にして図８に示すように反時計回りに回動させていくと、図７に示すように載置板２のアーム２０,２０が連結板５４のバンパー５５に当接される。
【００２２】
つまり、載置板２を図４に示す位置から約１８０度反時計回りに回動させると、載置板２のアーム２０,２０が連結板５４のバンパー５５に当接してその回動は停止され、図７に示すように載置板２はほぼ水平状態に保持される。バンパー５５によりその当接時の衝撃は吸収されることになる。
【００２３】
筒部材３Ａ,３Ａを支柱７０,７０に沿って移動させることにより、載置板２を所望の高さ位置へ移動させるとともに、載置板２を左右方向（図７において）にスライド移動させて載置板２の支柱７０から左方向へ突出する長さを調整する。これら調整が終了したら、蝶ネジ４２,４２を締めて筒部材３Ａ,３Ａを支柱７０,７０に固定し、蝶ナット５６,５６を締めて載置板２を固定する。
【００２４】
載置板２はほぼ水平状態に固定されるので、出張や旅先の途中、駅や公園のベンチなどに腰を掛けてパソコンを載置板２の上に置いて仕事をすることができ、また、弁当などを載置板２の上において食事をとることができ、膝の上にパソコンや弁当を置かなくて済むので、仕事や食事などが大変し易いものとなる。
【００２５】
また、携帯用載置台１０は、キャリーバッグ６の支柱７０,７０に載置板２を取り付けて使用するものであるから、載置板２を支持する専用の支柱は不要であり、このため、軽量化を図ることができる。
【００２６】
携帯用載置台１０を使用しないとき、図３に示すように、キャリーバッグ６に取り付けたままであってもよく、載置板２のみを取り外してバッグ本体６０に収納してもよく、あるいは、携帯用載置台１０を全て取り外してバッグ本体６０に収納してもよい。いずれの場合であっても、上記のように、携帯用載置台１０の組み付けは簡単に行うことができ、しかも、筒部材３Ａ,ブラケット３０,載置板２のアーム２０などの取り付けはネジ４２,２４,５２によって取り付けているので携帯用載置台１０の分解も簡単に行うことができる。
【００２７】
なお、キャリーバッグ６は、旅行カバンやスーツケースやトロリーケースなどであるが、一対の支柱を備えたものであればどのようなバッグであってもよく、また一対の支柱を備えて持ち運びができれば、バッグ以外の物（可搬体）であってもよい。
【００２８】
上記実施例では、ブラケット３０を介して載置板２のアーム２０とオフセット杆５０とを接続しているが、アーム２０にブラケット３０の起立片３２を一体形成すれば、ブラケット３０は不要である。
［第２実施例］
図１４は第２実施例の携帯用載置台の載置板１１０を示す。この載置板１１０は、主載置板（載置板）１１１の両側方に補助載置板１１２,１１３を着脱可能に装着したものである。また、補助載置板１１２,１１３は主載置板１１１の上面に載るように蝶番１２０，１３０によって矢印方向に折り畳めるようになっている。
【００２９】
補助載置板１１２の幅は広く、補助載置板１１３の幅は補助載置板１１２の幅より狭く設定されている。
【００３０】
これは、主載置板１１１の上にパソコンを置いて仕事などをする場合、主載置板１１１の左側（図１４において右側）に補助載置板１１２が位置し、主載置板１１１の右側（図１４において左側）に補助載置板１１３が位置するので、書類などを置く補助載置板１１２の幅を広くし、筆記具などを置く補助載置板１１３の幅を狭くしたものである。
【００３１】
蝶番１２０は、図１５に示すように、主載置板１１１に取り付けられた蝶番プレート１２１と、補助載置板１１２に取り付けられた蝶番プレート１２２とを備え、蝶番プレート１２１は円筒状の軸受部１２１Ａを有している。
【００３２】
蝶番プレート１２２は、円筒状の一対の軸受部１２２Ａ,１２２Ｂと、軸受部１２２Ａ内に挿入されている軸１２３とを有し、軸１２３はレバー１２４の操作によって軸受部１２２Ａから突出して軸受部１２２Ｂ内へ進入するようになっている。軸受部１２２Ａ,１２２Ｂ間の離間距離は蝶番プレート１２１の軸受部１２１Ａの長さとほぼ同一となっている。
【００３３】
補助載置板１１２の装着は、蝶番プレート１２２の軸受部１２２Ａ,１２２Ｂ間に主載置板１１１の蝶番プレート１２１の軸受部１２１Ａを図１６に示すように入れ、蝶番プレート１２２のレバー１２４を矢印Ｐ１方向に操作して、軸１２３を蝶番プレート１２１の軸受部１２１Ａ内と蝶番プレート１２２の軸受部１２２Ｂ内へ挿入させる。これにより、補助載置板１１２は主載置板１１１に装着されることになる。補助載置板１１２の取り外しは、上記と逆方向にレバー１２４を操作すればよい。
【００３４】
蝶番１３０は、蝶番１２０と同じ構成であり、補助載置板１１３の主載置板１１１に対する着脱も補助載置板１１２と同じなのでその説明は省略する。
［他の例］
図１８は第２実施例の携帯用載置台の載置板の他の例を示す。この載置板の他の例は、主載置板１１１の下面１１１Ｂに伸縮可能な且つ折り畳み式の脚部１５０を設けたものである。この脚部１５０により主載置板１１１は安定し、この上に重いものを載せることが可能となる。なお、図１８においてアーム２０は省略してある。
【００３５】
また、図１８Ａに示すように、主載置板１１１の前端に補助載置板１１５を着脱可能に装着できるようにし、この補助載置板１１５または主載置板１１１の下面に折り畳み式の脚部１５０を設けてもよい。
【００３６】
主載置板１１１の前端（一端）と両側の両端との少なくとも１つの一端に補助載置板を着脱可能に取り付けてもよく、また、いずれかの補助載置板の下面に折り畳み式の脚部１５０を設けてもよい。
［第３実施例］
図１９は第３実施例の携帯用載置台２００を示す。携帯用載置台２００は、筒部材３Ａ,３Ａに着脱可能に取り付けられる一対のアーム２２０,２２０と、このアーム２２０,２２０に載置される載置板２０２と、この載置板２０２をアーム２２０,２２０に固定するための面ファスナー２４９,２４９などとを備えている。
【００３７】
アーム２２０の先端には、図２０に示すように上下に延びた係止片２１が形成され、この係止片２１を筒部材（装着体）３Ａと支柱７０との間に挿入してアーム２２０を取り付けるようになっている。アーム２２０の上面及び下面には面ファスナー４９が貼り付けられている。なお、図１９において、アーム２２０の上面の面ファスナーは説明の便宜上省略してある。
【００３８】
載置板２０２の下面２０２Ａ（図１９において上面）には、面ファスナー２５０,２５０が取り付けられており、この載置板２０２を図２１に示すように下面２０２Ａを下側にしてアーム２２０,２２０の上に載せ、このアーム２２０,２２０を挟み込むようにして載置板２０２の面ファスナー２５０,２５０及びアーム２２０,２２０の面ファスナー４９,４９と面ファスナー２４９,２４９とを貼着させる。これにより、載置板２０２をアーム２２０,２２０に固定するものである。なお、アーム２２０,２２０の支柱７０,７０への固定は蝶ネジ４２を締め付けることによって行う。
【００３９】
この第３実施例によれば、ブラケット３０やオフセット杆５０が不要となるので、携帯用載置台２００の構成は簡単なものとなり、その組み付けも簡単なものとなる。
［他の例］
図２２ないし図２４は第３実施例の携帯用載置台の他の例を示したものであり、この他の例では、支柱７０,７０の前後に載置板２０２,２０２を着脱可能に取り付けるようにしたものである。図２２に示す８はアーム２２０の係止片２１に設けたスベリ止め部材であり、必ずしも設ける必要はない。なお、アーム２２０の上面には面ファスナー４９を設けているが、図２２,２３では説明の便宜上図示していない。
【００４０】
第３実施例および他の例では、アーム２２０に係止片２１を設けているが、この係止片２１を載置板２０２に設けて、載置板２０２を直接筒部材３Ａに装着するようにしてもよい。
［第４実施例］
図２５ないし図２７は第４実施例の携帯用載置台の装着金具３００を示す。この第４実施例では、支柱７０からハンドル７を取り外さなくても装着金具３００を支柱７０に装着できるようにしたものである。
【００４１】
装着金具３００は、支柱７０の太さと同じ幅の切欠３３０ａを有する筒部材３３０と、この筒部材３３０の外側に嵌合される筒部材３４０とを有している。
【００４２】
筒部材３３０の下部にはフランジ４５が形成され、フランジ４５の側面には面ファスナー３４３が貼り付けられている。また、筒部材３３０の壁３３０Ｂの内壁にはスベリ止め部材８が設けられている。
【００４３】
筒部材３４０は、支柱７０の太さと同じ幅の切欠４７を有し、側壁３４１の外面に面ファスナー３４２が取り付けられている。
【００４４】
装着金具３００の支柱７０への取り付けは、先ず、図２５及び図２６に示すように、筒部材３３０の切欠３３０ａから支柱７０を筒部材３３０内に入れ、蝶ネジ４２を締め付けて支柱７０の所定位置に固定する。
【００４５】
この後、筒部材３４０の切欠４７から支柱７０を筒部材３４０内に入れるとともに、筒部材３４０を筒部材３３０の外側に嵌合させる。この嵌合に邪魔とならないように筒部材３４０の切欠４７内に蝶ネジ４２を入れる。そして、筒部材３４０の下端を筒部材３３０のフランジ４５に当接させ、面ファスナー３４９を筒部材３４０の面ファスナー３４２に貼着させるとともにフランジ４５に設けた面ファスナー３４３に貼着する。これにより、筒部材３４０を筒部材３３０に固定するものである。
【００４６】
第２実施例ないし第４実施例も、キャリーバッグ６の支柱７０を利用しているので、第１実施例と同様な効果を得ることができる。
【００４７】
図２７（Ａ）及び図２７（Ｂ）は、他の例の装着部材（装着体）１３００を示す。この装着部材１３００は、支柱７０に着脱可能に装着する筒部材１３３０を備え、この筒部材１３３０は、断面がコ字状の本体１３３１と、この本体１３３１に開閉可能に軸支された開閉蓋１３３２とを有する。この本体１３３１と開閉蓋１３３２とで筒穴１３３０Ａを形成している。
【００４８】
本体１３３１の側壁部１３３１Ａの上部には、膨出部１３３３が一体形成され、この膨出部１３３３には後述するアームが挿入される穴１３３３Ａがバッグ本体６０（図２参照）に対して前後方向に沿って形成されている。穴１３３３Ａは膨出部１３３３を貫通しているが、貫通していなくてもよい。
【００４９】
また、側壁部１３３１Ａに対向する本体１３３１の側壁部１３３１Ｂにはネジ１３０１が螺合され、ネジ１３０１の先端部が筒部材１３３０の筒穴１３３０Ａ内に進出し、その先端部に当接板１０４１が先端部に対して回転自在に装着されている。
【００５０】
ネジ１３０１のダイヤル１０４３を回動操作することにより、当接板１０４１が進退してこの当接板１０４１と側壁部１３３１Ａとで支柱７０を挟持したり、この挟持を開放したりするようになっている。
【００５１】
図２７Ｃ及び図２７Ｄに示す載置板１０５０は、前後方向（図２７（Ｄ）において上下方向）に沿って形成された穴１０５１,１０５１を有し、この穴１０５１１０５１にアーム１０６０,１０６０が挿入されるようになっている。また、アーム１０６０,１０６０をどちらからでも挿入できるように穴１０５１,１０５１は貫通しているが、貫通していなくてもよい。
［組み付け］
先ず、装着部材１３００を図２７（Ｂ）に示すようにキャリーバッグ６の支柱７０,７０（図２参照）にそれぞれ装着する。次に、各装着部材１３００の本体１３３１の膨出部１３３３の穴１３３３Ａにアーム１０６０,１０６０の先端部をそれぞれ挿入して、アーム１０６０,１０６０を取り付け、このアーム１０６０,１０６０の後端部から図２７（Ｄ）に示すように載置板１０５０の穴１０５１,１０５１に挿入して、載置板１０５０をアーム１０６０,１０６０に取り付ける。
【００５２】
このように、アーム１０６０の先端部を本体１３３１の膨出部１３３３の穴１３３３Ａに挿入し、このアーム１０６０の後端部から載置板１０５０の穴１０５１に挿入していくだけなので、載置板１０５０の取り付け作業は簡単に行え、しかも、取り外しは、アーム１０６０を載置板１０５０の穴１０５１や膨出部１３３３の穴１３３３Ａから抜いていけばよいので、その取り外し作業も簡単に行える。
【００５３】
また、この例によれば、面ファスナーも不要となるので、部品点数の少ない携帯用載置台を提供することができる。
【００７７】
この発明は、上記実施例に限られるものではなく、特許請求の範囲の発明の要旨を逸脱しない限り、設計の変更や追加等は許容される。
【符号の説明】
【００７８】
１          載置体
２          載置板
３          装着金具（装着体）
３Ａ        筒部材
１０        携帯用載置台
２０        アーム
７０        支柱
１１０      載置板
１１２      補助載置板
１１３      補助載置板
５０１      三脚
５０２      台座
５１０      受台
５２０      載置板
５５０      補助支持機構
６１０      保持枠体
【要約】
【課題】小型軽量化を図ることのできる携帯用載置台と、この携帯用載置台を用いたキャリーバッグを提供する。
【解決手段】キャリーバッグ６の支柱７０または携帯物を着脱可能に取り付ける台座に着脱可能に装着する装着金具３と、この装着金具３に着脱可能に取り付ける載置体１とを備え、この載置体１の載置板２の上に物を載せるようにしたものである。
【選択図】  図４【図１】
0004977800.tif 000002
【図２】
0004977800.tif 000003
【図３】
0004977800.tif 000004
【図４】
0004977800.tif 000005
【図５】
0004977800.tif 000006
【図６】
0004977800.tif 000007
【図７】
0004977800.tif 000008
【図８】
0004977800.tif 000009
【図９】
0004977800.tif 000010
【図１０】
0004977800.tif 000011
【図１１】
0004977800.tif 000012
【図１２】
0004977800.tif 000013
【図１３】
0004977800.tif 000014
【図１４】
0004977800.tif 000015
【図１５】
0004977800.tif 000016
【図１６】
0004977800.tif 000017
【図１７】
0004977800.tif 000018
【図１８】
0004977800.tif 000019
【図１８Ａ】
0004977800.tif 000020
【図１９】
0004977800.tif 000021
【図２０】
0004977800.tif 000022
【図２１】
0004977800.tif 000023
【図２２】
0004977800.tif 000024
【図２３】
0004977800.tif 000025
【図２４】
0004977800.tif 000026
【図２５】
0004977800.tif 000027
【図２６】
0004977800.tif 000028
【図２７】
0004977800.tif 000029
【図２７（Ａ）】
0004977800.tif 000030
【図２７（Ｂ）】
0004977800.tif 000031
【図２７（Ｃ）】
0004977800.tif 000032
【図２７（Ｄ）】
0004977800.tif 000033